(57)【要約】【課題】内部に収容した薬剤の芳香機能や消臭機能などの効能を効率良く、長期間にわたって発揮することができる薬剤容器を提供する。【解決手段】薬剤容器１０は、粒状の薬剤Ｐを収容するため空洞半球状の隔壁１で区画された薬剤室２と、薬剤室２へ空気を導入するため隔壁１に開設された複数の気体導入口３と、気体導入口３から導入された空気を薬剤室２を経由して薬剤室２の外部へ排出するため隔壁１に開設された複数の気体排出口４と、隔壁１の底面の円形の開口部１ａに開閉可能に取り付けられた蓋体５と、を備えている。また、薬剤室２に薬剤Ｐを出し入れするための蓋体５が、薬剤室２の底面側２ｃの円形の開口部１ａに開閉可能に取り付けられている。【選択図】図６
2019116305.tif 000002
【特許請求の範囲】
【請求項１】
薬剤を収容するため隔壁で区画された薬剤室と、前記薬剤室へ空気を導入するため前記隔壁に開設された気体導入口と、前記気体導入口から導入された空気を前記薬剤室を経由して外部へ排出するため前記隔壁に開設された気体排出口と、を備えた薬剤容器。
【請求項２】
前記気体導入口が前記薬剤室の正面側の前記隔壁に開設し、前記気体排出口を前記薬剤室の背面側の前記隔壁に開設した請求項１記載の薬剤容器。
【請求項３】
前記薬剤室に通気性を有するスペーサを収容した請求項１または２記載の薬剤容器。
【請求項４】
前記スペーサが複数の通気孔を有する空洞体である請求項３記載の薬剤容器。
【請求項５】
前記薬剤室に、液体薬剤を収容可能であって前記液体薬剤が揮発可能な通気孔を有する薬剤タンクを備えた請求項１または２記載の薬剤容器。
【請求項６】
前記薬剤室に薬剤を出し入れするための開閉可能な蓋体を備えた請求項１〜５の何れかの項に記載の薬剤容器。
【発明の詳細な説明】
【技術分野】
【０００１】
本発明は、芳香剤や消臭剤を収容した状態で芳香を発生したり、消臭作用を発揮したりすることができる薬剤容器に関する。
【背景技術】
【０００２】
芳香作用や消臭作用を発揮する物品については、従来、多種多様なものが開発、販売されているが、本発明に関連するものとして、例えば、特許文献１に記載された「スリッパ」などがある。この「スリッパ」は、その甲部に設けられた装飾品に芳香剤を付設したものである
【０００３】
特許文献１に記載された「スリッパ」において使用されている装飾品は、外部と連通する芳香剤収納空間を有する花形のアップリケであり、芳香剤収納空間に粒状の芳香剤が収納されている。
【０００４】
この「スリッパ」を使用すると、装飾品に付設された芳香剤が芳香を放つので、室内やトイレなどの不快臭を除去することができる、というものである。
【先行技術文献】
【特許文献】
【０００５】
【特許文献１】特開昭６１−１９９２０２号公報
【発明の概要】
【発明が解決しようとする課題】
【０００６】
特許文献１に記載された「スリッパ」において使用されている装飾品を構成する芳香剤収納空間は、その表面全体が外部と連通しており、芳香剤収納空間に収納されている粒状の芳香剤が常時芳香を放つので、芳香過剰となることがあり、比較的短期間のうちに芳香剤が消耗される傾向がある。
【０００７】
そこで、本発明が解決しようとする課題は、内部に収容した薬剤の芳香機能や消臭機能などの効能を効率良く、長期間にわたって発揮することができる薬剤容器を提供することにある。
【課題を解決するための手段】
【０００８】
本発明の薬剤容器は、薬剤を収容するため隔壁で区画された薬剤室と、前記薬剤室へ空気を導入するため前記隔壁に開設された気体導入口と、前記気体導入口から導入された空気を前記薬剤室を経由して前記薬剤室の外部へ排出するため前記隔壁に開設された気体排出口と、を備えたことを特徴とする。
【０００９】
前記薬剤容器においては、前記気体導入口を前記薬剤室の正面側の前記隔壁に開設し、前記気体排出口を前記薬剤室の背面側の前記隔壁に開設することが望ましい。
【００１０】
前記薬剤容器においては、前記薬剤室に、通気性を有するスペーサを収容することができる。
【００１１】
ここで、前記スペーサは、複数の通気孔を有する空洞体を使用することができる。
【００１２】
前記薬剤容器においては、前記薬剤室に、液体薬剤を収容可能であって前記液体薬剤が揮発可能な通気孔を有する薬剤タンクを備えることもできる。
【００１３】
前記薬剤容器においては、前記薬剤室に薬剤を出し入れするための開閉可能な蓋体を備えることもできる。
【発明の効果】
【００１４】
本発明により、内部に収容した薬剤の芳香機能や消臭機能などの効能を効率良く、長期間にわたって発揮することができる薬剤容器を提供することができる。
【図面の簡単な説明】
【００１５】
【図１】本発明の実施形態である薬剤容器を示す斜視図である。
【図２】図１と異なる方向から見た薬剤容器を示す斜視図である。
【図３】図１に示す薬剤容器の平面図である。
【図４】図３中の矢線Ａ方向から見た薬剤容器の側面図である。
【図５】図３中のＢ−Ｂ線における薬剤容器の断面図である。
【図６】図１に示す薬剤容器にビーズ状の薬剤を収容した状態を示す断面図である。
【図７】図６に示す薬剤収容状態の薬剤容器を取り付けた履物を示す一部省略平面図である。
【図８】その他の実施形態である薬剤容器を薬剤収容状態で示す断面図である。
【図９】図８に示す薬剤容器のその他の使用状態を示す断面図である。
【図１０】その他の実施形態である薬剤容器を示す断面図である。
【図１１】その他の実施形態である薬剤容器を示す斜視図である。
【図１２】図１１と異なる方向から見た薬剤容器を示す斜視図である。
【図１３】図１１に示す薬剤容器の平面図である。
【図１４】図１３中の矢線Ｃ方向から見た薬剤容器の側面図である。
【図１５】図１１に示す薬剤容器を取り付けた履物を示す一部省略平面図である。
【発明を実施するための形態】
【００１６】
以下、図１〜図１５に基づいて、本発明の実施形態である薬剤容器１０，２０，３０，４０について説明する。なお、薬剤容器２０，３０，４０の構成部分において薬剤容器１０の構成部分と共通する部分については、薬剤容器１０の構成部分と同符号を付して説明を省略する。
【００１７】
初めに、図１〜図７に基づいて薬剤容器１０について説明する。図１〜図６に示すように、薬剤容器１０は、粒状の薬剤Ｐを収容するため空洞半球状の隔壁１で区画された薬剤室２と、薬剤室２へ空気を導入するため隔壁１に開設された複数の気体導入口３と、気体導入口３から導入された空気を薬剤室２を経由して薬剤室２の外部へ排出するため隔壁１に開設された複数の気体排出口４と、を備えている。また、薬剤室２に薬剤Ｐを出し入れするための蓋体５が、薬剤室２の底面側２ｃの円形の開口部１ａに開閉可能に取り付けられている。
【００１８】
図３に示すように、薬剤容器１０においては、複数の気体導入口３は薬剤室２の正面側２ａの隔壁１に開設され、複数の気体排出口４は薬剤室２の背面側２ｂの隔壁１に開設されている。複数の気体導入口３は何れも長円形状であり、長円の長径方向が、隔壁１の開口部１ａ寄りの部分の円周と平行をなすように開設されている。気体導入口３は隔壁１の開口部１ａから隔壁１の頂上に向かって上下２段をなすように開設され、上段の気体導入口３の長径方向の長さは、下段の気体導入口３の長径方向の長さより大である。なお、気体導入口３の形状、個数、配置状態などは前述したものに限定するものではない。
【００１９】
気体排出口４は長円形状であり、図３に示すように、平面視状態で円形状をなす隔壁１の円周方向に沿って等間隔に４個開設され、それぞれの気体排出口４は、それぞれの長径方向が、隔壁１の頂点１ｂを中心に円形をなす開口部１ａの半径方向と一致する状態（隔壁１の頂点１ｂを中心に放射状をなす状態）で開設されている。また、複数の気体排出口４は何れも、複数の気体導入口３より高い位置（隔壁１の頂点１ｂに近い位置）に開設されている。なお、気体排出口４の形状、個数、配置状態などは前述したものに限定するものではない。
【００２０】
図３，図４に示すように、複数の気体導入口３は薬剤室２の正面側２ａの隔壁１に開設され、複数の気体排出口４は薬剤室２の背面側２ｂの隔壁１に開設されているため、図５に示すように、複数の気体導入口３から薬剤室２に導入された空気は薬剤室２を経由（通過）して複数の気体排出口４から外部へ排出される。
【００２１】
薬剤容器１０を使用する場合、蓋体５を開いて、薬剤室２の内部へ粒状の薬剤Ｐ（例えば、芳香剤）を充填し、蓋体５を閉じると図６に示すような状態となる。図６に示すように、薬剤室２に薬剤Ｐが充填された薬剤容器１０の隔壁１には、複数の気体導入口３及び複数の気体排出口４が開設されているため、静置状態にあっても、薬剤Ｐから発生（揮発、昇華）する芳香成分が気体導入口３や気体排出口４から放出され、周囲に芳香を漂わせることができるが、放出箇所が気体導入口３や気体排出口４に限定されているため、芳香過剰となり難く、芳香剤香剤の消耗を抑制することもできる。
【００２２】
一方、薬剤容器１０を動かしたり、薬剤容器１０に向かって風を当てたりすることにより、気体導入口３に向かう空気流を発生させると、図６に示すように、気体導入口３から薬剤室２に空気が流れ込み、薬剤Ｐの隙間を通過しながら薬剤室２の内部を流動し、芳香を含んだ空気となって気体排出口４から外部へ排出される。これにより、薬剤容器１０を静置していたときよりも大量の芳香を周囲に拡散させることができる。
【００２３】
このように、薬剤容器１０は、薬剤室２の正面側２ａの隔壁１に複数の気体導入口３を有し、薬剤室２の背面側２ｂの隔壁１に複数の気体排出口４を有するので、内部に収容した薬剤Ｐ（芳香剤）の芳香機能を効率良く、長期間にわたって発揮することができる。なお、薬剤室２に充填する薬剤Ｐは芳香剤に限定されないので、消臭剤などを充填することもできる。
【００２４】
次に、図７に基づいて薬剤容器１０の使用例について説明する。図７は薬剤Ｐ（図示せず）を収容した状態の薬剤容器１０を取り付けた履物１１を示す一部省略平面図である。図７に示すように、履物１１の甲部１２の表面に薬剤容器１０が、面ファスナ（図示せず）を介して着脱可能に取り付けられている。薬剤容器１０は、気体導入口３が存在する正面側を履物１１の爪先部１３に向け、気体排出口４が存在する背面側を履物１１の踵部１４に向けた状態で取り付けられている。
【００２５】
履物１１を履いた状態で歩行すると、履物１１の周りには爪先部１３から踵部１４に向かって流動する空気流が発生するので、この空気流の一部が薬剤容器１０の気体導入口３から薬剤室２へ流入し、薬剤室２内を通過することによって芳香を含んだ空気流となって気体排出口４から排出される。従って、履物１１を履いて歩行する経路に沿って芳香を広く拡散することができる。
【００２６】
一方、履物１１が使用されていないときは、甲部１２の薬剤容器１０は静置状態にあるので、気体導入口３や気体排出口４から限定的に放出される芳香成分により、周囲に適度の芳香を漂わせることができる。このとき、芳香成分の放出箇所は気体導入口３や気体排出口４に限定されているので、芳香過剰となり難く、芳香剤香剤の消耗を抑制することもできる。
【００２７】
次に、図８，図９に基づいて、その他の実施形態である薬剤容器２０について説明する。図８に示すように、薬剤容器２０においては、薬剤室２に、通気性を有する複数のスペーサ２１を薬剤Ｐとともに収容している。スペーサ２１の外径は薬剤Ｐの外径と同等であるが、これに限定しない。スペーサ２１は、周壁２３に複数の通気孔２２を有する空洞多面体形状であり、それぞれの通気孔２２を通して空気が内部を通過可能である。
【００２８】
図８に示すように。薬剤室２に、通気性を有する複数のスペーサ２１を薬剤Ｐとともに収容すると、複数のスペーサ２１が隣接して並ぶ部分には連続した空気道が形成され、薬剤室２の通気性が高まるので、気体導入口３から薬剤室２に導入された空気が気体排出口４から効率良く排出され、薬剤Ｐによる芳香機能や消臭機能を高めることができる。
【００２９】
薬剤室２に収容するスペーサ２１の個数や配列状態などは限定しないので、図９に示すように、図８に示す薬剤容器２０よりも多数のスペーサ２１を薬剤室２に収容し、複数のスペーサ２１が隣接して並ぶ部分を複数個所に形成することにより、連続した複数の空気道を形成することもできる。スペーサ２１の形状やサイズは図８に示すものに限定しないので、網状体や多孔板で形成された空洞多面体、空洞球体、筒状体などを採用することもできる。
【００３０】
次に、図１０基づいて、その他の実施形態である薬剤容器３０について説明する。図１０に示す薬剤容器３０においては、薬剤室２に、液体薬剤３４を収容可能であって液体薬剤３４が揮発可能な通気孔３３を有する薬剤タンク３１を備えることもできる。薬剤タンク３１においては、空洞球体形状の周壁３２の一部に通気孔３３が形成されている。通気孔３３は周壁３２の内部に向かって垂下した漏斗形状をなしており、薬剤タンク３１内の液体薬剤３４が通気孔３３を通過して外部へ揮発可能である。
【００３１】
薬剤タンク３１は薬剤室２の底部（蓋体５の上面５ａ）に着脱可能に固着されているが、転動可能な状態で収容することもできる。薬剤タンク３１内の液体薬剤３４は揮発して通気孔３３を通過し、薬剤室２の内部に拡散するので、薬剤容器３０が静置されているときは気体導入口３及び気体排出口４から薬剤成分が放出され、気体導入口３から空気が導入されるときは気体排出口４から薬剤成分が放出される。
【００３２】
液体薬剤３４は液体のまま通気孔３３を通過することはできないので、薬剤タンク３１が転動して通気孔３３が下方を向いても、液体薬剤３４は漏出しない。液体薬剤３４が消耗されたときは、注射器（図示です）を使用して液体薬剤３４を補充することができる。具体的には、液体薬剤３４をシリンダ内に吸い込んだ注射器の針先を通気孔３３に挿入し、注射器のピストンを押圧操作すれば、薬剤タンク３１内へ液体薬剤３４を注入することができる。
【００３３】
次に、図１１〜図１５に基づいて、その他の実施形態である薬剤容器４０について説明する。
【００３４】
図１１〜図１４に示すように、薬剤容器４０は、粒状の薬剤（図示せず）を収容するため平面視形状がハート形をなす空洞状の隔壁４１で区画された薬剤室４２と、薬剤室４２へ空気を導入するため隔壁４１に開設された複数の気体導入口４３と、気体導入口４３から導入された空気を薬剤室４２を経由して薬剤室４２の外部へ排出するため隔壁４１に開設された複数の気体排出口４４と、を備えている。また、薬剤室４２に薬剤を出し入れするための蓋体４５が、薬剤室４２の底面側４２ｃのハート形の開口部１ａに開閉可能に取り付けられている。
【００３５】
図１３に示すように、薬剤容器４０においては、複数の気体導入口４３は薬剤室４２の正面側４２ａ（ハート形の凸部側）の隔壁４１に開設され、複数の気体排出口４４は薬剤室４２の背面側４２ｂ（ハート形の凹部側）の隔壁４１に開設されている。複数の気体導入口４３は何れも長円形状であり、長円の長径方向が、隔壁４１の開口部４１ａ寄りの部分の周縁と平行をなすように開設されている。気体導入口４３は隔壁４１の開口部４１ａから隔壁４１の頂上に向かって上下２段をなすように開設され、上段の気体導入口４３の長径方向の長さは、下段の気体導入口４３の長径方向の長さより小である。なお、気体導入口４３の形状、個数、配置状態などは前述したものに限定するものではない。
【００３６】
図１３に示すように、気体排出口４４の平面視形状は「へ」字形状であり、平面視状態でハート形をなす隔壁４１の凹部側を形成する一対の凸部のそれぞれの凸曲面に沿って上下方向に３段をなすように開設されている。また、複数の気体排出口４４は何れも、複数の気体導入口４３より高い位置（隔壁４１の頂点４１ｂに近い位置）に開設されている。なお、気体排出口４４の形状、個数、配置状態などは前述したものに限定しない。
【００３７】
図１１，図１３，図１４に示すように、複数の気体導入口４３は薬剤室４２の正面側４２ａの隔壁４１に開設され、複数の気体排出口４４は薬剤室４２の背面側４２ｂの隔壁４１に開設されているため、複数の気体導入口４３から薬剤室４２に導入された空気は薬剤室４２を経由（通過）して複数の気体排出口４４から外部へ排出される。
【００３８】
薬剤容器４０の使い方は図１に示す薬剤容器１０と同様、薬剤室４２の内部へ粒状の薬剤（例えば、芳香剤）を充填して使用する。図１４に示すように、薬剤容器４０の隔壁４１には、複数の気体導入口４３及び複数の気体排出口４４が開設されているため、静置状態にあっても、薬剤から発生（揮発、昇華）する芳香成分が気体導入口４３や気体排出口４４から放出され、周囲に芳香を漂わせることができるが、放出箇所が気体導入口４３や気体排出口４４に限定されているため、芳香過剰となり難く、芳香剤香剤の消耗を抑制することもできる。
【００３９】
一方、薬剤容器４０を動かしたり、薬剤容器４０に向かって風を当てたりすることにより、気体導入口４３に向かう空気流を発生させると、気体導入口４３から薬剤室４２に空気が流れ込み、薬剤の隙間を通過しながら薬剤室４２の内部を流動し、芳香を含んだ空気となって気体排出口４４から外部へ排出される。これにより、薬剤容器４０を静置していたときよりも大量の芳香を周囲に拡散させることができる。
【００４０】
このように、薬剤容器４０は、薬剤室４２の正面側４２ａの隔壁４１に複数の気体導入口４３を有し、薬剤室４２の背面側４２ｂの隔壁４１に複数の気体排出口４４を有するので、内部に収容した薬剤（芳香剤）の芳香機能を効率良く、長期間にわたって発揮することができる。なお、薬剤室４２に充填する薬剤は芳香剤に限定されないので、消臭剤などを充填することもできる。
【００４１】
次に、図１５に基づいて薬剤容器４０の使用例について説明する。図１５は薬剤を収容した状態の薬剤容器４０を取り付けた履物１１を示す一部省略平面図である。図１５に示すように、履物１１の甲部１２の表面に薬剤容器４０が、面ファスナ（図示せず）を介して着脱可能に取り付けられている。薬剤容器４０は、気体導入口４３が存在する正面側を履物１１の爪先部１３に向け、気体排出口４４が存在する背面側を履物１１の踵部１４に向けた状態で取り付けられている。
【００４２】
履物１１を履いた状態で歩行すると、履物１１の周りには爪先部１３から踵部１４に向かって流動する空気流が発生するので、この空気流の一部が薬剤容器４０の気体導入口４３から薬剤室４２へ流入し、薬剤室４２内を通過することによって芳香を含んだ空気流となって気体排出口４４から排出される。従って、履物１１を履いて歩行する経路に沿って芳香を広く拡散することができる。
【００４３】
一方、履物１１が使用されていないときは、甲部１２の薬剤容器４０は静置状態にあるので、気体導入口４３や気体排出口４４から限定的に放出される芳香成分により、周囲に適度の芳香を漂わせることができる。このとき、芳香成分の放出箇所は気体導入口４３や気体排出口４４に限定されているので、芳香過剰となり難く、芳香剤香剤の消耗を抑制することもできる。
【００４４】
なお、図１〜図１５に基づいて説明した薬剤容器１０，２０，３０，４０及びその使用状態は、本発明に係る薬剤容器及びその使用状態を例示するものであり、本発明に係る薬剤容器は前述した薬剤容器１０，２０，３０，４０に限定されない。
【産業上の利用可能性】
【００４５】
本発明に係る薬剤容器は、芳香発生作用、消臭作用などの効能を有する薬剤を収容するための容器として製薬産業などの産業分野において広く利用することができる。
【符号の説明】
【００４６】
１，４１  隔壁
１ａ，４１ａ  開口部
１ｂ，４１ｂ  頂点
２，４２  薬剤室
２ａ，４２ａ  正面側
２ｂ，４２ｂ  背面側
２ｃ，４２ｃ  底面側
３，４３  気体導入口
４，４４  気体排出口
５，４５  蓋体
５ａ  上面
１０，２０，３０，４０  薬剤容器
１１  履物
１２  甲部
１３  爪先部
１４  踵部
２１  スペーサ
２２，３３  通気孔
２３，３２  周壁
３１  薬剤タンク
３４  液体薬剤
Ｐ  薬剤
【図１】
2019116305.tif 000003
【図２】
2019116305.tif 000004
【図３】
2019116305.tif 000005
【図４】
2019116305.tif 000006
【図５】
2019116305.tif 000007
【図６】
2019116305.tif 000008
【図７】
2019116305.tif 000009
【図８】
2019116305.tif 000010
【図９】
2019116305.tif 000011
【図１０】
2019116305.tif 000012
【図１１】
2019116305.tif 000013
【図１２】
2019116305.tif 000014
【図１３】
2019116305.tif 000015
【図１４】
2019116305.tif 000016
【図１５】
2019116305.tif 000017